(57)【要約】【課題】建築物の損傷レベルを速やかに推定することができるシステムを実現する。【解決手段】カーテンウォール１を構成する方立１１に、該方立１１の変形に伴って出力を変化させるジャイロセンサ２を取り付けて、地震などの災害発生時に、ジャイロセンサ２の出力結果などに基づいて、損傷推定手段であるデータ処理装置３により建築物の損傷レベルを推定し、さらにその推定結果に応じて外部出力装置４の表示を変更する。【選択図】図５
2020122786.tif 000002
【特許請求の範囲】
【請求項１】
建築物を構成する建材に取り付けられたジャイロセンサと、
前記ジャイロセンサの出力信号を含む入力情報に基づいて、前記建材を含む建築物の損傷レベルを推定する損傷推定手段と、
前記損傷推定手段による推定結果を出力する外部出力装置とを備える、
建築物の損傷レベル推定システム。
【請求項２】
前記建材が、鉛直方向に伸長して配置された部材である、
請求項１に記載の建築物の損傷レベル推定システム。
【請求項３】
前記外部出力装置が、１乃至複数個の発光ダイオードを有する照明装置を備え、
前記照明装置は、通常時には、前記建築物の屋内および／もしくは屋外の明るさを確保するため、並びに／または空間を演出するための発光を行い、災害発生時には、前記損傷推定手段による推定結果に応じた発光を行う、
請求項１または２に記載の建築物の損傷レベル推定システム。
【請求項４】
前記照明装置が、前記損傷推定手段による推定結果に応じて、前記発光ダイオードの発光色を変化させる、
請求項３に記載の建築物の損傷レベル推定システム。
【請求項５】
前記照明装置が、鉛直方向に伸長して配置された部材に取り付けられている、
請求項３または４に記載の建築物の損傷レベル推定システム。
【発明の詳細な説明】
【技術分野】
【０００１】
本発明は、例えば地震などの災害時に被害を受けた建築物の損傷レベルを推定する、建築物の損傷レベル推定システムに関する。
【背景技術】
【０００２】
地震などの大規模災害が発生した際には、被災した建築物について、その後に発生する余震などによる倒壊の危険性や、外壁などの落下などの危険度を判定することが、二次的災害を防止するために重要である。このため、現在は、建築士の資格を有する専門家が、建築物の外観を１棟ずつ目視して、その危険度を判定し、判定結果を建築物に掲示して、居住者などに知らせている。
【先行技術文献】
【特許文献】
【０００３】
【特許文献１】特開２００８−３０９７８４号公報
【特許文献２】特開２０１６−１８６６５号公報
【特許文献３】特開２０１６−１８６６６号公報
【発明の概要】
【発明が解決しようとする課題】
【０００４】
しかしながら、専門家による判定は建築物を１棟ずつ目視により確認して行うため、時間がかかり、その後の復旧作業の開始にも影響することから、建築物の危険度判定の自動化が望まれる。すなわち、センサなどにより得られる各種情報から建築物の損傷レベルを推定する技術の実現が望まれる。
【０００５】
特開２００８−３０９７８４号公報には、人工構造物に設置された２点間の相対変位を計測することができる変状原位置表示装置が記載されている。そこで、このような変状原位置表示装置を、建築物の躯体（骨組み）を構成する柱や梁などの建材に取り付けて、災害時に、建材の２点間の相対変位を計測して該建材の変形を測定することにより、建築物の損傷レベルを推定することが考えられる。
【０００６】
ただし、特開２００８−３０９７８４号公報に記載の変状原位置表示装置は、予め設置した２点間を結ぶ直線方向に関する相対変位のみしか計測することができない。したがって、地震などの災害時に、建築物の損傷レベルを推定すべく、建材の多方向の変形を測定するためには、建材に多数の点を設置し、これら各点同士の間にそれぞれ、２点間の相対変位を計測する計測部を設ける必要がある。実際の施工現場において、躯体を組み立てた後、建材の多方向の変形を精度良く計測するために、多数の点を建材に設置する作業は面倒であり、コストが嵩む可能性がある。
【０００７】
なお、本発明に関連する技術として、特開２０１６−１８６６５号公報および特開２０１６−１８６６６号公報には、カーテンウォールやサッシなどを構成する方立や無目などの建材に組み込んで使用される、照明装置が記載されている。
【０００８】
本発明は、上述のような事情を鑑みて、建築物の損傷レベルを速やかに推定することができる、建築物の損傷レベル推定システムを実現することを目的としている。
【課題を解決するための手段】
【０００９】
本発明の建築物の損傷レベル推定システムは、ジャイロセンサと、損傷推定手段と、外部出力装置とを備える。
前記ジャイロセンサは、建築物を構成する建材に取り付けられている。なお、前記ジャイロセンサは、前記建築物の屋外側と屋内側とのいずれに取り付けても良い。
前記損傷推定手段は、前記ジャイロセンサの出力信号を含む入力情報に基づいて、前記建築物の損傷レベルを推定する。
前記外部出力装置は、前記損傷推定手段による推定結果を出力する。
【００１０】
具体的には、例えば、前記建材を、前記建築物の壁部を構成するカーテンウォールやサッシ、および、シャッター装置やドア装置、引き戸装置、間仕切り装置などの開口部を開閉可能に閉塞する閉塞装置などとすることができる。
さらに、前記建材を、鉛直方向に伸長して配置された部材とすることが好ましい。すなわち、前記建材を、カーテンウォールやサッシ、ドア装置、引き戸装置、間仕切り装置を構成する縦枠および／もしくは方立としたり、シャッター装置を構成するガイドレールや中柱としたりすることが好ましい。
【００１１】
前記外部出力装置は、１乃至複数個の発光ダイオードを有する照明装置を備えることができる。
この場合、前記照明装置は、通常時には、前記建築物の屋内および／もしくは屋外の明るさを確保するため、並びに／または空間を演出するための発光を行い、災害発生時には、前記損傷推定手段による推定結果に応じた発光を行う。
前記照明装置は、前記損傷推定手段による推定結果に応じて、前記発光ダイオードの発光色を変化させることができる。
前記照明装置は、鉛直方向に伸長して配置された部材に取り付けることができる。
【発明の効果】
【００１２】
本発明は、地震などの災害時に、建築物に外力が加わった場合、建築物のカーテンウォールやサッシは、これらカーテンウォールやサッシが取り付けられた躯体（骨組み）とほぼ同じ動きをするといった、本発明者らの研究により得られた知見に基づいてなされたものであり、本発明の建築物の損傷レベル推定システムによれば、建築物の損傷レベルを速やかに推定することができる。
【図面の簡単な説明】
【００１３】
【図１】図１は、本発明の実施の形態の１例に係る建築物の損傷レベル推定システムを構成するジャイロセンサおよび照明装置が取付けられた、カーテンウォールを示す略斜視図である。
【図２】図２は、図１のＸ−Ｘ断面図である。
【図３】図３は、照明装置を取り出して示す斜視図である。
【図４】図４は、照明装置を取り出して示す端面図である。
【図５】図５は、本発明の実施の形態の１例に係る建築物の損傷レベル推定システムを示すブロック図である。
【図６】図６（Ａ）は、方立と無目との接合部をピン接合とした解析モデルＭ０を示す模式図であり、図６（Ｂ）は、方立と無目との接合部に回転方向に関する剛性を付与した解析モデルＭを示す模式図である。
【発明を実施するための形態】
【００１４】
図１〜図６は、本発明の実施の形態の１例を示している。本例の建築物の損傷レベル推定システムは、カーテンウォール１を構成する、建材である方立１１に、該方立１１の変形や変位に伴って出力を変化させるジャイロセンサ２を取り付けて、地震などの災害発生時に、ジャイロセンサ２の出力信号に基づいて、損傷推定手段であるデータ処理装置３により建築物の損傷レベルを推定し、さらにその推定結果に応じて外部出力装置４の表示を変更する。なお、カーテンウォール１は、図１に示すように、それぞれが鉛直方向に配置された複数本の方立１１と、隣り合う左右の方立１１同士の間にそれぞれ水平方向に配置された複数本の無目１２と、方立１１と無目１２とにより四辺を囲まれた開口部に取り付けられたパネル１３とを備える。
【００１５】
本例では、ジャイロセンサ２として、互いに直交する３方向の軸周りの角速度を検出するものを使用している。ただし、ジャイロセンサ２としては、３方向の軸周りの角速度を検出するものに限らず、角度や角加速度を検出するものを使用することもできる。何れにしても、ジャイロセンサ２は、カーテンウォール１を構成する方立１１のうち、少なくとも１本の方立１１の側面に、少なくとも１個取り付けられている。したがって、ジャイロセンサ２は、地震などの災害の発生に伴って、方立１１が変形したり変位したりすると、出力信号を変化させる。
【００１６】
なお、ジャイロセンサ２を方立１１に取り付ける方法については、特に問わず、例えば、ねじ止めや溶接、接着により固定することができる。
【００１７】
また、図示の例では、ジャイロセンサ２を、カーテンウォール１を構成する方立１１のうち、１本の方立１１の面外方向に関する片側面（建築物に取り付けた状態での屋内側の側面）の上下方向に離隔した複数箇所（図示の例では３箇所）に取り付けている。ただし、ジャイロセンサ２の個数および取付位置については、後述するように、データ処理装置３が建築物の損傷レベルを推定するのに十分な情報を得ることができる限り、特に限定されない。すなわち、ジャイロセンサ２を、カーテンウォールを構成する方立１１のうち、すべての方立１１に取り付けることもできるし、一部の方立１１にのみ取り付けることもできる。また、ジャイロセンサ２を、方立１１の面外方向に関する他側面（建築物に取り付けた状態での屋外側の側面）に取り付けることもできるし、方立１１の面内方向に関する側面に取り付けることもできる。さらに、ジャイロセンサ２を、方立１１の上下方向１箇所にのみ取り付けることもできる。何れにしても、ジャイロセンサ２の取付位置や個数は、データ処理装置３が建築物の損傷レベルを推定するのに十分な情報を得ることができるように、理論計算やシミュレーションなどにより設計的に定めることが好ましい。
【００１８】
データ処理装置３は、ジャイロセンサ２の出力信号に基づいて、カーテンウォール１が取り付けられた建築物の損傷レベルを推定する。本例では、データ処理装置３は、データロガー３１と、信号処理部３２と、損傷レベル推定部３３とを備える。なお、データ処理装置３の設置箇所については、特に問わない。
【００１９】
データロガー３１は、ジャイロセンサ２の出力信号を受信し、記録しておく機能を有する。なお、ジャイロセンサ２の出力信号をデータ処理装置３に伝送する手段については、特に限定されず、有線方式と無線方式との何れの方式を採用しても良い。
【００２０】
信号処理部３２は、ジャイロセンサ２により検出し、データロガー３１により受信した、方立１１の角速度を表す信号を処理する。具体的には、例えば、信号処理部３２は、方立１１の傾斜角度を算出する。あるいは、信号処理部３２は、方立１１の角速度を表す信号に基づいて、カーテンウォール１の層間変位（＝ｎ階の床に対する（ｎ＋１）階の水平方向の変位）または層間変形角（＝層間変位÷階高）を算出することもできる。この場合、例えば、カーテンウォール１をモデル化した解析モデルを用いて、カーテンウォール１の層間変位または層間変形角を算出する。すなわち、ジャイロセンサ２の出力信号を解析モデルに入力することで、カーテンウォール１の層間変位または層間変形角を算出する。
【００２１】
ただし、本発明を実施する場合、信号処理部３２は、損傷レベル推定部３３において建築物の損傷レベルの推定に用いることができる限り、方立１１の傾斜角度、または、カーテンウォール１の層間変位若しくは層間変形角以外のパラメータを算出するように構成することもできる。
【００２２】
また、信号処理部３２による方立１１の傾斜角度、または、カーテンウォール１の層間変位若しくは層間変形角の算出には、ジャイロセンサ２の出力信号以外の情報を使用することもできる。具体的には、例えば、方立１１に取り付けたひずみゲージ５１や加速度センサ５２、傾斜計５６など、ジャイロセンサ以外のセンサの出力信号を、信号処理部３２による方立１１の傾斜角度、または、カーテンウォール１の層間変位若しくは層間変形角の算出に用いても良い。なお、図示の例では、ひずみゲージ５１などからの信号を直接信号処理部３２に入力しているが、一度データロガー３１により受信、記録してから、信号処理部３２に入力することもできる。
【００２３】
損傷レベル推定部３３は、信号処理部３２による算出結果に基づいて、建築物の損傷レベルを推定する。ただし、損傷レベル推定部３３による建築物の損傷レベルの推定には、信号処理部３２の算出結果以外の情報を使用することもできる。具体的には、例えば、方立１１に取り付けたひずみゲージ５１や加速度センサ５２、傾斜計５６など、ジャイロセンサ以外のセンサの出力信号、建築物の屋内や屋外の様子を撮影するカメラ５３の映像もしくは画像、または／および、建築物もしくは近隣に設置された震度計５４や風速計５５などの出力信号などを、損傷レベル推定部３３による建築物の損傷レベルの推定に用いることもできる。
【００２４】
何れにしても、損傷レベル推定部３３は、予め理論計算やシミュレーションにより求めた、方立１１の傾斜角度、または、カーテンウォール１の層間変位若しくは層間変形角などの信号処理部３２による算出結果を含む入力情報と建築物の損傷レベルとの関係を表すマップや計算式を用いることにより、入力情報に基づいて建築物全体に関する損傷レベルを推定する。
【００２５】
外部出力装置４は、照明装置４１と、該照明装置４１の発光パターンを切り換える制御器４２とを備える。
【００２６】
照明装置４１は、方立１１の長さ方向に伸長し、該方立１１に沿って支持されて、方立１１に沿って光を発する。なお、照明装置４１の構造は、方立１１に対する取付構造を含めて、特開２０１６−１８６６５号公報および特開２０１６−１８６６６号公報に記載の構造と同様であるから、以下、簡単に説明する。
【００２７】
本例の照明装置４１は、長尺のプリント基板に、複数個の発光ダイオード（ＬＥＤ）を取り付けてなるＬＥＤプレート４１ａを、断面Ｈ字形で、アルミニウム合金などの軽合金その他の材料による押出成形品である補強部材４１ｂを介して、取付形材４１ｃの保持部４１ｃ１に保持してなる。なお、ＬＥＤプレート４１ａから発せられた光は、取付形材４１ｃの反射面４１ｃ２に反射されることにより、拡散されて柔らかな光となる。
【００２８】
本例では、方立１１のうち、面外方向に関して屋内側に設けられた組込凹部１１ａの内側に取付形材４１ｃを配置し、かつ、取付形材４１ｃに設けられた１対の係合片４１ｃ３を、方立１１に設けられた１対の係合受部１１ｂに係合させることにより、照明装置４１を方立１１に支持している。照明装置４１から発せられた光は、屋内側だけでなく、カーテンウォール１を構成する、ガラス製のパネル１３を通して、屋外側（図２の上側）も照らす。換言すれば、照明装置４１から発せられた光は、屋外側からも目視することができる。
【００２９】
本例では、ＬＥＤプレート４１ａに組み込む発光ダイオードとして、赤色、緑色および青色の発光素子（チップ）を搭載したマルチチップ方式のものを使用している。マルチチップ方式の発光ダイオードは、それぞれの色の発光素子の調合比率を変えることで、様々な発光色を表現することができ、赤色、緑色および青色の３色すべての発光素子を発光させることにより、白色光を得ることもできる。
【００３０】
制御器４２は、照明装置４１を、災害が発生する以前の通常時に、建築物の屋内および／もしくは屋外の明るさを確保するため、並びに／または空間を演出するため（イルミネーションのため）の発光を行う通常モードと、災害発生時に、データ処理装置３の損傷レベル推定部３３から受信した、建築物の損傷レベルの推定結果に応じた発光を行う損傷レベル表示モードとを切り換える機能を有する。
【００３１】
通常モードでは、制御器４２は、ユーザによるスイッチの操作に基づいて、照明装置４１のオン／オフや、照明装置４１が発する光の強さ（明るさ）を調整したり、管理者により予め設定されたプログラムなどに従って、照明装置４１が発する光の色や点滅タイミングなどの発光パターンを切り換えて空間演出を行ったりする。
【００３２】
損傷レベル表示モードでは、制御器４２は、データ処理装置３の損傷レベル推定部３３から受信した、建築物の損傷レベルの推定結果に応じて、照明装置４１の発光パターンを切り換える。本例では、制御器４２は、建築物の損傷レベルの推定結果に応じて、照明装置４１が発する光の色を切り換える。具体的には、例えば、建築物の損傷レベルの推定結果が、建築物に立ち入ることが危険であると判断されるレベルの場合には、制御器４２は照明装置４１に、赤色の光を発するよう指示する。これに対し、建築物の損傷レベルの推定結果が、建築物に立ち入る場合は十分注意が必要であると判断されるレベルの場合には、制御器４２は照明装置４１に、黄色の光を発するよう指示する。また、建築物の損傷レベルの推定結果が、建築物の被災程度が小さいと判断されるレベルの場合には、制御器４２は照明装置４１に、緑色の光を発するよう指示する。
【００３３】
なお、データ処理装置３の損傷レベル推定部３３による建築物の損傷レベルの推定結果を、外部出力装置４の制御器４２に伝送する手段については、特に限定されず、有線方式と無線方式との何れの方式を採用しても良い。あるいは、データ処理装置３の信号処理部３２および損傷レベル推定部３３と、外部出力装置４の制御器４２とを、１つの演算器内に実装することもできる。
【００３４】
通常モードから損傷レベル表示モードへの切り換え、すなわち災害が発生したか否かの判定方法については、特に問わず、例えば、ひずみゲージ５１や震度計５４などの各種センサの出力信号、または、損傷レベル推定部３３による建築物の損傷レベルの推定結果などに基づいて行うことができる。すなわち、例えば、制御器４２は、ひずみゲージ５１の出力信号が予め設定した閾値を超えた場合や、震度計５４により観測された震度が予め設定した震度を超えた場合に、災害が発生したと判断して、照明装置４１を通常モードから損傷レベル表示モードに切り換えるように構成することができる。または、制御器４２は、損傷レベル推定部３３による建築物の損傷レベルの推定結果が予め設定したレベルを超えた場合に、災害が発生したと判断して、照明装置４１を通常モードから損傷レベル表示モードに切り換えるように構成しても良い。あるいは、災害が発生したか否かの判断をデータ処理装置３で行い、該データ処理装置３は、災害が発生したと判断した場合にのみ、建築物の損傷レベルの推定結果を外部出力装置４の制御器４２に送信するように構成することもできる。この場合、制御器４２は、建築物の損傷レベルの推定結果を受信したときは、速やかに照明装置４１を通常モードから損傷レベル表示モードに切り換える。
【００３５】
なお、損傷レベル表示モードから通常モードへの切り換え（復旧）は、管理者によるリセット操作（制御器４２へのリセット指示）などに基づいて行われる。
【００３６】
本例の建築物の損傷レベル推定システムが組み込まれた建築物が被災すると、カーテンウォール１の方立１１が変形および／または変位することに伴って、ジャイロセンサ２の出力信号が変化する。データ処理装置３は、ジャイロセンサ２の出力信号に基づいて、カーテンウォール１の層間変位または層間変形角を算出し、さらに建築物の損傷レベルを推定する。外部出力装置４の制御器４２は、照明装置４１を通常モードから損傷レベル表示モードに切り換えて、データ処理装置３により推定された建築物の損傷レベルに応じて、照明装置４１の発光色を切り換える。
【００３７】
本例の建築物の損傷レベル推定システムは、カーテンウォール１の方立１１に取り付けたジャイロセンサ２の出力信号に基づいて、方立１１の傾斜角度、または、カーテンウォール１の層間変位若しくは層間変形角を算出し、該方立１１の傾斜角度、または、カーテンウォール１の層間変位若しくは層間変形角に基づいて、カーテンウォール１が取り付けられた建築物の損傷レベルを推定するようにしている。したがって、災害時に、建築物の損傷レベルを速やかに推定することができ、被災者が避難する際の目安としたり、復旧作業を速やかに開始したりすることができる。
【００３８】
特に本例では、方立１１の変形や変位を測定するためのセンサとして、センサ設置箇所の互いに直交する３方向の軸回りの角速度を検出可能なジャイロセンサ２を使用している。このため、前述したように、２点間の相対変位を計測部により計測する特開２００８−３０９７８４号公報に記載の変状原位置表示装置を使用して、建材の変形を測定して建築物の損傷レベルを推定する場合と比較して、センサの数を抑えることができ、コストを抑えることができる。
【００３９】
さらに、本例では、建築物の損傷レベルの推定に用いる入力情報を得るためのジャイロセンサ２を、建築物の躯体ではなく、カーテンウォール１の方立１１に取り付けている。そして、ジャイロセンサ２の出力信号に基づいて方立１１の傾斜角度、または、カーテンウォール１の層間変位若しくは層間変形角を算出し、さらに方立１１の傾斜角度、または、カーテンウォール１の層間変位若しくは層間変形角に基づいて、建築物の損傷レベルを推定するようにしている。したがって、例えば、ジャイロセンサ２を方立１１に予め取り付けておき、その後、カーテンウォール１を建築物の躯体に取り付けることができる。このように、ジャイロセンサ２の設置作業を容易化することができ、この面からもコストを抑えることができる。ただし、カーテンウォール１を建築物の躯体に取り付けた後で、ジャイロセンサ２を方立１１に取り付けることもできる。
【００４０】
なお、信号処理部３２によりカーテンウォール１の層間変位または層間変形角を求める場合、例えば、図６（Ａ）に示すように、方立１１と無目１２との接合部をピン接合とみなした解析モデルＭ０を用いて、ジャイロセンサ２の出力信号から、カーテンウォール１の層間変位または層間変形角を算出することができる。すなわち、カーテンウォール１では、方立１１の傾倒による無目１２の変形を抑制するため、方立１１と無目１２とは相対回転可能に接合される。このため、カーテンウォール１を設計する際には、計算を簡単にするため、図６（Ａ）に示すように、方立１１と無目１２との接合部をピン接合とみなして設計を行う。このように、カーテンウォール１の設計に用いる解析モデルＭ０を使用して、カーテンウォール１の層間変位または層間変形角を算出することができる。
【００４１】
あるいは、図６（Ｂ）に示すように、方立１１と無目１２との接合部に、回転方向に関する剛性を付与した（半剛接合とした）解析モデルＭを用いて、カーテンウォール１の層間変位または層間変形角を求めることもできる。このような解析モデルＭを用いることにより、カーテンウォール１の層間変位または層間変形角を、解析モデルＭ０を使用した場合に比べてより精度良く求めることができる。なお、方立１１と無目１２との接合部に付与する回転方向に関する剛性ｋは、実験や計算により求めることができる。
【００４２】
また、本例の建築物の損傷レベル推定システムは、データ処理装置３による建築物の損傷レベルの推定結果に応じて、方立１１に支持された照明装置４１が発する光の色を切り換えるように構成されている。このため、建築物の屋外および屋内から、該建築物の損傷レベルを容易に確認することができて、被災者が避難する際の目安としたり、復旧作業を速やかに開始したりすることができる。
【００４３】
なお、本例では、データ処理装置３による建築物の損傷レベルの推定結果に応じて、照明装置４１が発する光の色を、赤色、黄色および緑色の３段階に切り換えるようにしているが、２段階に切り換えたり、４段階以上に切り換えたりするように構成することもできる。または／および、建築物の損傷レベルの推定結果に応じて、照明装置４１の点滅間隔を切り換えるように構成しても良い。または／および、天井に取り付けられたシーリングライトや壁面に取り付けられたブラケットライトなどの照明装置の発光パターン（発光色や点滅間隔など）を、建築物の損傷レベルの推定結果に応じて切り換えることもできる。あるいは、建築物の屋内や屋外に設置されたディスプレイや、予め登録したり近隣に存在したりする携帯端末などに、建築物の損傷レベルの推定結果を表示するように構成することもできる。
【００４４】
また、本例では、ジャイロセンサ２を、カーテンウォール１の方立１１に取り付け、該方立１１の傾斜角度を算出するようにしているが、ジャイロセンサ２を、カーテンウォール１を構成する無目１２やパネル１３に取り付けることもできる。換言すれば、無目１２やパネル１３を、被測定部材とすることもできる。
【００４５】
また、本例では、損傷レベル推定部３３により、建築物全体に関する損傷レベルを推定するようにしている。ただし、本発明を実施する場合、建築物の部屋ごと、またはフロアごとなど、所定の区画ごとに、それぞれの損傷レベルを推定することもできる。この場合には、例えば、それぞれの区画を構成する部材に取り付けられた照明装置の発光パターンを、当該区画の損傷レベルの推定結果に応じて切り換えることが好ましい。これにより、それぞれの区画ごとの損傷レベルを容易に確認することができる。
【００４６】
また、本例では、ジャイロセンサ２を、カーテンウォール１を構成する方立１１に取り付けているが、本発明を実施する場合、ジャイロセンサを、カーテンウォールを構成する縦枠、上枠、下枠（巾木）、無目および／またはパネルに取り付けたり、建築物を構成するその他の建材に取り付けることもできる。具体的には、例えば、ジャイロセンサを、サッシを構成する建材（縦枠、方立、上枠、下枠（巾木）、無目および／またはパネル）に取り付けることができる。あるいは、ジャイロセンサを、シャッター装置やドア装置、引き戸装置、間仕切り装置などの開口部を開閉可能に閉塞する閉塞装置を構成する建材に取り付けることができる。ただし、地震などの災害の発生に伴って建築物に加わる外力による建築物の損傷レベルを推定する面からは、ジャイロセンサを、カーテンウォールやサッシ、ドア装置、引き戸装置、間仕切り装置を構成する縦枠および／もしくは方立、あるいは、シャッター装置を構成するガイドレールや中柱など、鉛直方向に伸長して配置された部材に取り付けることが好ましい。なお、ジャイロセンサは、屋外側と屋内側とのいずれに取り付けても良い。
【符号の説明】
【００４７】
１      カーテンウォール
１１    方立
１１ａ  組込凹部
１１ｂ  係合受部
１２    無目
１３    パネル
２      ジャイロセンサ
３      データ処理装置
３１    データロガー
３２    信号処理部
３３    損傷レベル推定部
４      外部出力装置
４１    照明装置
４１ａ  ＬＥＤプレート
４１ｂ  補強部材
４１ｃ  取付形材
４１ｃ１  保持部
４１ｃ２  反射面
４１ｃ３  係合片
４２    制御器
５１    ひずみゲージ
５２    加速度センサ
５３    カメラ
５４    震度計
５５    風速計
５６    傾斜計
【図１】
2020122786.tif 000003
【図２】
2020122786.tif 000004
【図３】
2020122786.tif 000005
【図４】
2020122786.tif 000006
【図５】
2020122786.tif 000007
【図６】
2020122786.tif 000008